(57)【要約】【課題】ユーザの使い勝手を向上させることができる求車求荷情報表示装置、求車求荷情報表示方法、プログラム、求車求荷情報提供サーバ及び求車求荷情報提供システムを提供する。【解決手段】  サーバ２で検索可能な所定の全地域において、荷物、車両、倉庫のいずれかの検索対象情報をユーザの操作に基づいて特定し、未選択、積込地、卸地、積卸地のいずれかの状態をユーザの操作に基づいて特定し、求車、求荷、倉庫のいずれかに関する情報と、所定の地域内の各領域の未選択、積込地、卸地、積卸地のいずれかの状態の情報とに基づいて検索要求を確定し、その確定された検索要求をサーバ２へと送信し、サーバ２からの応答として受信した検索結果情報を表示させるクライアント端末４（求車求荷情報表示装置）とする。【選択図】図２
2018005856.tif 000002
【特許請求の範囲】
【請求項１】
ネットワークを介して求車求荷情報提供サーバと通信可能な求車求荷情報表示装置であって、
前記求車求荷情報提供サーバで検索可能な所定の全地域において、荷物、車両、倉庫のいずれかの検索対象情報をユーザの操作に基づいて特定する第１の検索条件特定部と、
前記求車求荷情報提供サーバで検索可能な所定の地域内の各領域において、未選択、積込地、卸地、積卸地のいずれかの状態をユーザの操作に基づいて特定する第２の検索条件特定部と、
前記第１の検索条件特定部にて特定されている求車、求荷、倉庫のいずれかに関する情報と、所定の地域内の各領域の前記第２の検索条件特定部にて特定されている未選択、積込地、卸地、積卸地のいずれかの状態の情報とに基づいて検索要求を確定する検索条件確定部と、
前記検索条件確定部により確定された検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部と、
を有することを特徴とする求車求荷情報表示装置。
【請求項２】
請求項１に記載の求車求荷情報表示装置であって、
前記第１の検索条件特定部と前記第２の検索条件特定部と前記検索条件確定部とは、同時に表示されるウィンドウ内に配置されている
ことを特徴とする求車求荷情報表示装置。
【請求項３】
請求項１または２に記載の求車求荷情報表示装置であって、
前記第１の検索条件特定部が検索対象情報を特定するためのタブとして荷物タブ、車両タブ、倉庫タブが同一の画面上に隣接して構成されており、ユーザのクリック操作によって前記荷物タブ、前記車両タブ、前記倉庫タブのいずれかが選択されると、その選択されたタブに対応する情報を検索対象情報として特定する
ことを特徴とする求車求荷情報表示装置。
【請求項４】
請求項１~３のいずれか１項に記載の求車求荷情報表示装置であって、
前記業務画面制御部は、
前記第２の検索条件特定部により示される所定の地域またはその地域を示す文字の色を、ユーザのクリック回数に応じて変化させる
ことを特徴とする求車求荷情報表示装置。
【請求項５】
第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、
前記第１の検索条件特定部が、前記求車求荷情報提供サーバで検索可能な所定の全地域において、荷物、車両、倉庫のいずれかの検索対象をユーザの操作に基づいて特定する第１の検索条件特定ステップと、
前記第２の検索条件特定部が、前記求車求荷情報提供サーバで検索可能な所定の地域内の各領域において、未選択、積込地、卸地、積卸地のいずれかの状態をユーザの操作に基づいて特定する第２の検索条件特定ステップと、
前記検索条件確定部が、前記第１の検索条件特定ステップにて特定されている求車、求荷、倉庫のいずれかに関する情報と、所定の地域内の各領域の前記第２の検索条件特定ステップにて特定されている未選択、積込地、卸地、積卸地のいずれかの状態の情報とに基づいて検索要求を確定する検索条件確定ステップと、
前記検索要求送信部が、前記検索条件確定ステップにて確定された検索要求を前記求車求荷情報提供サーバへと送信する検索要求送信ステップと、
前記業務画面制御部が、前記検索要求送信ステップにて検索要求が前記求車求荷情報提供サーバへと送信され、前記求車求荷情報提供サーバからの応答として受信した検索結果情報を表示させる表示制御ステップと、
を有することを特徴とする求車求荷情報表示方法。
【請求項６】
ネットワークを介して求車求荷情報提供サーバと通信可能な求車求荷情報表示装置としてコンピュータを機能させるためのプログラムであって、
前記コンピュータを、
前記求車求荷情報提供サーバで検索可能な所定の全地域において、荷物、車両、倉庫のいずれかの検索対象情報をユーザの操作に基づいて特定する第１の検索条件特定部と、
前記求車求荷情報提供サーバで検索可能な所定の地域内の各領域において、未選択、積込地、卸地、積卸地のいずれかの状態をユーザの操作に基づいて特定する第２の検索条件特定部と、
前記第１の検索条件特定部にて特定されている求車、求荷、倉庫のいずれかに関する情報と、所定の地域内の各領域の前記第２の検索条件特定部にて特定されている未選択、積込地、卸地、積卸地のいずれかの状態の情報とに基づいて検索要求を確定させる検索条件確定部と、
前記検索条件確定部により確定された前記検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部
として機能させるためのプログラム。
【請求項７】
ネットワークを介して求車求荷情報表示装置と通信可能な求車求荷情報提供サーバであって、
前記求車求荷情報表示装置からのログイン要求を受け付けて求車求荷情報表示装置および求車求荷情報表示装置を利用するユーザを認証する認証部と、
前記認証部にて認証された前記求車求荷情報表示装置のブラウザに表示させるための画面を構成する情報を送信する検索画面情報送信部と、
前記検索画面情報送信部により送信された検索画面情報に基づいて前記求車求荷情報表示装置側で表示される画面から、前記ユーザの操作により受け付けられた荷物、車両、倉庫のいずれかの検索対象情報の指定、積込地、卸地、積卸地の指定がされた地域の指定を受け付ける検索条件受付部と、
前記検索条件受付部で受け付けた検索対象情報と検索対象地域の指定条件に従って、これらの条件を満たす求車求荷情報を検索する情報検索部と、
前記情報検索部により検索された前記求車求荷情報を前記求車求荷情報表示装置へ送信する検索情報送信部と、
を有することを特徴とする求車求荷情報提供サーバ。
【請求項８】
請求項１〜４のいずれか１項に記載の求車求荷情報表示装置と、
請求項７に記載の求車求荷情報提供サーバと、
を有することを特徴とする求車求荷情報提供システム。
【発明の詳細な説明】
【技術分野】
【０００１】
本発明は、求車求荷情報表示装置、求車求荷情報表示方法、プログラム、求車求荷情報提供サーバ及び求車求荷情報提供システムに関する。
【背景技術】
【０００２】
近年、ネットワークを介して運輸業管理を行うシステムとして、荷主と車主の間を取り持ち、求車依頼と求荷依頼をマッチングさせることにより配車を行う荷物運送管理システムが導入されている。
【０００３】
上記の荷物運送管理システムの一例として、荷主から運送依頼された荷物を運送業者が管理する運送車に割り付け、運送車の積載率に応じて割引した運賃を設定することができる求車求荷システムが提案されている（たとえば、特許文献１）。
【先行技術文献】
【特許文献】
【０００４】
【特許文献１】特開２００３−３０２９３号公報
【発明の概要】
【発明が解決しようとする課題】
【０００５】
しかしながら、特許文献１に開示されている求車求荷システムでは、種々のポイントにおいてユーザにとって使い易く設計されていない。たとえば、所定の地域での求車の情報、求荷の情報、倉庫の情報などをユーザが容易に検索することはできない。
【０００６】
また、実際の地図をみながら、検索条件をユーザ自らが指定して簡単に検索することはできない。
【０００７】
本発明は、上述した課題の少なくともいずれか一つを鑑み、ユーザの使い勝手を向上させることができる求車求荷情報表示装置、求車求荷情報表示方法、プログラム、求車求荷情報提供サーバ及び求車求荷情報提供システムを提供することを目的とする。
【課題を解決するための手段】
【０００８】
上述の目的を達成するために、本発明の求車求荷情報表示装置は、ネットワークを介して求車求荷情報提供サーバと通信可能な求車求荷情報表示装置であって、求車求荷情報提供サーバで検索可能な所定の全地域において、荷物、車両、倉庫のいずれかの検索対象情報をユーザの操作に基づいて特定する第１の検索条件特定部と、求車求荷情報提供サーバで検索可能な所定の地域内の各領域において、未選択、積込地、卸地、積卸地のいずれかの状態をユーザの操作に基づいて特定する第２の検索条件特定部と、第１の検索条件特定部にて特定されている求車、求荷、倉庫のいずれかに関する情報と、所定の地域内の各領域の第２の検索条件特定部にて特定されている未選択、積込地、卸地、積卸地のいずれかの状態の情報とに基づいて検索要求を確定する検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部と、を有することを特徴とする。
【０００９】
また、上述の第１の検索条件特定部と第２の検索条件特定部と検索条件確定部とは、同時に表示されるウィンドウ内に配置されていることが好ましい。
【００１０】
また、上述の第１の検索条件特定部が検索対象情報を特定するためのタブとして荷物タブ、車両タブ、倉庫タブが同一の画面上に隣接して構成されており、ユーザのクリック操作によって荷物タブ、車両タブ、倉庫タブのいずれかが選択されると、その選択されたタブに対応する情報を検索対象情報として特定することが好ましい。
【００１１】
また、上述した求車求荷情報表示装置の業務画面制御部は、第２の検索条件特定部により示される所定の地域またはその地域を示す文字の色を、ユーザのクリック回数に応じて変化させることが好ましい。
【００１２】
また、本発明の求車求荷情報表示方法は、第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、第１の検索条件特定部が、求車求荷情報提供サーバで検索可能な所定の全地域において、荷物、車両、倉庫のいずれかの検索対象をユーザの操作に基づいて特定する第１の検索条件特定ステップと、第２の検索条件特定部が、求車求荷情報提供サーバで検索可能な所定の地域内の各領域において、未選択、積込地、卸地、積卸地のいずれかの状態をユーザの操作に基づいて特定する第２の検索条件特定ステップと、検索条件確定部が、第１の検索条件特定ステップにて特定されている求車、求荷、倉庫のいずれかに関する情報と、所定の地域内の各領域の第２の検索条件特定ステップにて特定されている未選択、積込地、卸地、積卸地のいずれかの状態の情報とに基づいて検索要求を確定する検索条件確定ステップと、検索要求送信部が、検索条件確定ステップにて確定された検索要求を求車求荷情報提供サーバへと送信する検索要求送信ステップと、業務画面制御部が、検索要求送信ステップにて検索要求が求車求荷情報提供サーバへと送信され、求車求荷情報提供サーバからの応答として受信した検索結果情報を表示させる表示制御ステップと、を有することを特徴とする
【００１３】
また、本発明のプログラムは、ネットワークを介して求車求荷情報提供サーバと通信可能な求車求荷情報表示装置としてコンピュータを機能させるためのプログラムであって、コンピュータを、求車求荷情報提供サーバで検索可能な所定の全地域において、荷物、車両、倉庫のいずれかの検索対象情報をユーザの操作に基づいて特定する第１の検索条件特定部と、求車求荷情報提供サーバで検索可能な所定の地域内の各領域において、未選択、積込地、卸地、積卸地のいずれかの状態をユーザの操作に基づいて特定する第２の検索条件特定部と、第１の検索条件特定部にて特定されている求車、求荷、倉庫のいずれかに関する情報と、所定の地域内の各領域の第２の検索条件特定部にて特定されている未選択、積込地、卸地、積卸地のいずれかの状態の情報とに基づいて検索要求を確定させる検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部として機能させることを特徴とする。
【００１４】
また、本発明の求車求荷情報提供サーバは、ネットワークを介して求車求荷情報表示装置と通信可能な求車求荷情報提供サーバであって、求車求荷情報表示装置からのログイン要求を受け付けて求車求荷情報表示装置および求車求荷情報表示装置を利用するユーザを認証する認証部と、認証部にて認証された求車求荷情報表示装置のブラウザに表示させるための画面を構成する情報を送信する検索画面情報送信部と、検索画面情報送信部により送信された検索画面情報に基づいて求車求荷情報表示装置側で表示される画面から、ユーザの操作により受け付けられた荷物、車両、倉庫のいずれかの検索対象情報の指定、積込地、卸地、積卸地の指定がされた地域の指定を受け付ける検索条件受付部と、検索条件受付部で受け付けた検索対象情報と検索対象地域の指定条件に従って、これらの条件を満たす求車求荷情報を検索する情報検索部と、情報検索部により検索された求車求荷情報を求車求荷情報表示装置へ送信する検索情報送信部と、を有することを特徴とする。
【００１５】
また、本発明の求車求荷情報提供システムは、上述したいずれかの求車求荷情報表示装置と、求車求荷情報提供サーバとを有することを特徴とする。
【発明の効果】
【００１６】
本発明によればユーザの使い勝手を向上させることができる求車求荷情報表示装置、求車求荷情報表示方法、プログラム、求車求荷情報提供サーバ及び求車求荷情報提供システムを提供することができる。
【図面の簡単な説明】
【００１７】
【図１】求車求荷情報提供システムを利用する際に表示される画面例である。
【図２】本発明の実施の形態に係る求車求荷情報提供システムの概略構成を示す図であり、（Ａ）は、システム概略構成を示すブロック図であり、（Ｂ）は、各装置の機能的構成を示したブロック図である。
【図３】端末認証処理の際に表示される画面の一例を示す図である。
【図４】クライアント端末で表示されるログイン画面の一例である。
【図５】図１に示す画面の検索に関する領域の一部を拡大して表示した図である。
【図６】図５の検索条件で検索した際に表示される検索結果画面の一例を示す図である。
【図７】図１に示す画面の検索に関する領域の一部を拡大して表示した図であって、図５とは異なるクライアント端末で表示される検索画面の一例を示す図である。
【図８】図７の検索条件で検索した際に表示される検索結果画面の一例を示す図である。
【図９】図２に示すクライアント端末で表示される画面での操作に基づいてクライアント端末側で実行される検索処理を示すフローチャートである。
【図１０】図２に示すサーバで実行される検索処理を示すフローチャートである。
【発明を実施するための形態】
【００１８】
以下、本発明の実施の形態に係る求車求荷情報表示装置、求車求荷情報表示方法、プログラム、求車求荷情報提供サーバ及び求車求荷情報提供システムについて図面を参照しながら説明する。なお、本発明の求車求荷情報表示方法およびプログラムは、求車求荷情報表示装置の動作、および求車求荷情報表示装置として機能させるためにインストールされたプログラムを例として説明する。また、本発明の求車求荷情報提供サーバは、求車求荷情報提供システムにおけるサーバ（後述のサーバ２）を例として説明する。しかしながら、本発明に係る求車求荷情報表示装置、求車求荷情報表示方法、プログラム、求車求荷情報提供サーバ及び求車求荷情報提供システムは、以下に説明する実施形態に限定されるものではない。
【００１９】
（表示画面の概要）
図１は、求車求荷情報提供システム１を利用する際に表示される画面例である。この図１に表示される画面１００においては、予め登録されているユーザの日本全国の空車情報と荷物情報と倉庫情報の検索が可能であり、それらの検索結果を表示させることができる。ユーザは、まず始めに、荷物タブ１０１、車両タブ１０２、倉庫タブ１０３のいずれかを選択することで検索対象情報を指定することができる。そして、ユーザは、指定した検索対象情報に加えて、さらに検索条件を指定するために、日本地図表示領域１０４内に含まれる各都道府県を示す文字（たとえば東京）をクリックする。ユーザのクリック回数に応じて、そのクリックされた領域の検索指定条件（積込地、卸地、積卸地、未設定のいずれかの状態）を自由に変更することができる。クリックの回数により検索条件がどのように変化するかについては、説明領域１０５において明示すると共に、その設定状態を文字の色の違いによって容易に識別できるようにしている。なお、各都道府県の文字ではなく、近傍に表示されている地域名称（関東、東海、甲信越など）をクリックすることで、その地域に含まれる都道府県をすべて選択して、検索指定条件の設定を一括して指定、または変更することもできる。このような状態で「地図から探す」という検索ボタン１０６をクリックすると、サーバ２側へ指定された検索対象情報（荷物、車両、倉庫のいずれか）と各地域の検索条件とが送信される。なお、この画面１００には、その他に、キーワードをユーザが直接入力して自由に検索ができる入力欄を有する検索部１０７、荷物、車両、倉庫の情報を直接登録することができる登録部１０８、荷物、車両、倉庫の情報そのものから、直接検索することができる検索部１０９、現在の登録件数等が表示される表示部１１０、目標の有効データ登録件数と実績を比較したグラフ部１１などを有している。なお、符号は付していないが、その他にも、帳簿・一覧表表示機能、求車求荷情報に関するリンク集を表示する機能、予め設定された検索条件に合致した案件があった場合にメールにてお知らせする通知機能（スグニ―）、分析機能、掲示板機能、営業支援システム（タンサくん）、積合機能などがある。以下、このような表示画面を表示させることができる求車求荷情報提供システム１について詳細に説明する。
【００２０】
（システム概要）
図２は、本発明の実施の形態に係る求車求荷情報提供システム１の概略構成を示す図であり、（Ａ）は、システム概略構成を示すブロック図であり、（Ｂ）は、各装置の機能的構成を示したブロック図である。図２の（Ａ）に示すように、求車求荷情報提供システム１は、本システムに登録されている荷主などのユーザからの依頼に対して受注管理、配車管理、販売管理、月毎の一括精算、およびこれらの情報の検索などを行うサーバ２と、インターネット３を介してサーバ２にアクセスするクライアント端末４Ａ，４Ｂ…４ｎ（以下、それぞれを区別する必要がないときは単に「クライアント端末４」という。）とを有している。
【００２１】
サーバ２は、請求項の求車求荷情報提供サーバの一例であり、クライアント端末４に対して求車求荷情報を提供する。サーバ２は、いわゆるＷｅｂサーバ、アプリケーションサーバ（以下、ＡＰサーバ）、ＤＢサーバ、メール配信サーバなどの各機能を有している。なお、サーバ２が有する各機能は、必ずしも１台の装置内で構築する必要はなく、機能別に装置を設けて構築するようにしてもよい。また、サーバ２は、ストレージ（ＤＢ，一般ファイル、帳票データ）と通信可能に同一のＬＡＮ内に接続されていることが好ましい。インターネット３は、請求項のネットワークの一例であり、基本的にはインターネット網であるが、イントラネットや公衆電話回線、携帯電話網、専用線などが含まれていてもよい。クライアント端末４は、請求項の求車求荷情報表示装置の一例であり、各組合員、本部事務局などの人間が所有するＰＣ、スマートフォン等である。
【００２２】
図２の（Ｂ）に示すように、サーバ２は、ＷＷＷサービス提供部１１、認証部１２、制御部１３、ＲＤＢＭＳ１４、ＤＢ（データベース）１５、画像ファイル１６、ＨＴＭＬファイル１７を有している。なお、サーバ２のハードウェア構成は、図示しないが、いわゆるサーバコンピュータであり、ハードウェア構成としては、ＣＰＵ，ＲＡＭ（Random Access Memory），ＲＯＭ（Read Only Memory），ＨＤＤ（Hard Disk Drive）、通信インターフェースなどを有する。そして、サーバ２は、ＣＰＵがＲＯＭ，ＨＤＤなどにインストールされたプログラムをＲＡＭに読み出して実行することにより、上述した各部を実現することができる。
【００２３】
ＷＷＷサービス提供部１１は、後述するクライアント端末４のＷｅｂブラウザ２１からのリクエストに応じて、予め保存されている画像ファイル１６やＨＴＭＬファイル１７、もしくは動的に生成されたＨＴＭＬファイル１７などを送信する機能（いわゆるＷｅｂサーバの機能）を提供する。また、ＷＷＷサービス提供部１１は、このＷｅｂサーバの機能の提供を行うための、プログラムの実行環境やＤＢ１５への接続機能も提供する。さらに、ＷＷＷサービス提供部１１は、複数の処理を連結するトランザクションの管理機能、業務処理の流れを制御するビジネスロジックなどが実装されており、クライアント端末４のＷｅｂブラウザ２１からの要求に応じてバックエンドでデータを加工し、その処理結果を提供する。
【００２４】
認証部１２は、クライアント端末４からの認証要求に応じてＲＤＢＭＳ１４と通信し、組合員の認証（ユーザ認証）とクライアント端末４の認証（たとえば、ＭＡＣアドレスによる端末認証）の両方を行う。なお、認証部１２は、クライアント端末４からのアクセスが初回である場合には、初回登録処理を行う。サーバ２へのアクセスが初回であるか否かはユーザＩＤとＭＡＣアドレスの組み合わせが記録されたＤＢ１５内の認証マスタ（不図示）を参照して判断する。初回登録処理では、クライアント端末４側で生成された初期認証値を受信し、ＤＢ１５内の認証マスタへと登録する。
【００２５】
制御部１３は、クライアント端末４側で表示させる画面の制御（以下、画面制御）、サーバ２側で求荷求車情報に関する処理の制御（以下、業務処理制御）、ＤＢ１５へのアクセス制御（ＤＢアクセス制御）を行っている。画面制御では、クライアント端末４のＷｅｂブラウザ２１からの要求に応じて表示させるべき画像ファイル１６、ＨＴＭＬファイル１７を選択する。あるいはＨＴＭＬファイル１７を動的に生成する。業務処理制御では、Ｗｅｂブラウザ２１内で選択された情報に基づいてＤＢ１５内に新たな情報を追加、既存の情報を変更、あるいは既存の情報の削除などの情報処理を行う。
【００２６】
ＲＤＢＭＳ１４は、ＤＢ１５を一元的に管理している。ＤＢ１５には、たとえば、ユーザにより入力して登録された求車情報、求荷情報、倉庫情報などの各種登録情報、これらのニーズのマッチング情報、ユーザＩＤとクライアント端末４のＭＡＣアドレスの組み合わせが記録されている認証マスタなどが格納されている。
【００２７】
画像ファイル１６は、クライアント端末４のＷｅｂブラウザ２１で表示させるための画像データなどである。ＨＴＭＬファイル１７は、クライアント端末４のＷｅｂブラウザ２１で表示させるＨＴＭＬで記述されたＷｅｂページである。なお、このＷｅｂページは、一例であり、クライアント端末４側のブラウザ上で表示できるものであればよく、ＨＴＭＬ以外のＸＭＬファイル等であってもよい。
【００２８】
クライアント端末４は、Ｗｅｂブラウザ２１と、クライアントアプリ認証部２２と、業務画面制御部２３から構成される。なお、クライアント端末４のハードウェア構成については図示しないが、いわゆるパーソナルコンピュータであり、ＣＰＵ，ＲＡＭ（Random Access Memory），ＲＯＭ（Read Only Memory），ＨＤＤ（Hard Disk Drive）、通信インターフェースなどを有する。そして、クライアント端末４は、ＣＰＵがＲＯＭ，ＨＤＤなどにインストールされたプログラムをＲＡＭに読み出して実行することにより、上述した各部を実現することができる。なお、クライアント端末４は、据置型のＰＣなどではなく、いわゆるスマートフォンなどの携帯型の端末であってもよい。
【００２９】
Ｗｅｂブラウザ２１は、Ｗｅｂページ要求機能とＷｅｂページ表示機能とを有する。たとえばＷｅｂブラウザ２１は、ユーザの操作に応じて入力された情報に基づいたＷｅｂページをサーバ２に対して要求する。また、Ｗｅｂブラウザ２１は、サーバ２側から送信されてきた画像ファイル１６やＨＴＭＬファイル１７に基づく画面を表示させる。
【００３０】
クライアントアプリ認証部２２は、ユーザおよびクライアント端末４の認証処理を実行させるために、Ｗｅｂブラウザ２１とは異なる表示画面（後述の図３）を起動する。そして、ユーザが入力した情報に基づいてサーバ２側の認証部１２との間で認証処理を実行する。クライアント端末４の認証処理の詳細は、後述する。クライアントアプリ認証部２２は、認証処理が成功すると、業務画面制御部２３へＷｅｂブラウザ２１を起動するように指示する。
【００３１】
業務画面制御部２３は、クライアントアプリ認証部２２からの指示に基づいてＷｅｂブラウザ２１を起動させる。業務画面制御部２３は、クライアント端末４からの操作に応じて、サーバ２側へＷｅｂページの要求を行ったり、サーバ２側から送信されてきたＷｅｂページの表示を行ったりする。
【００３２】
（端末認証処理）
続いて、クライアントアプリ認証部２２により実行される端末認証処理およびログイン処理について説明する。図３は、端末認証処理の際に表示される画面２００の一例を示す図である。ユーザは、事前に連絡されたＩＤとパスワードをこの画面２００のＩＤ入力欄２０１とパスワード入力欄２０２に入力することで、ダウンロードボタン２０３をクリックすることができるようになる。ユーザがダウンロードボタン２０３をクリックすると、サーバ２から不図示の端末認証用プログラムがダウンロードされる。端末認証用プログラムは、クライアント端末４でＩＤ入力欄２０１に入力されたユーザＩＤとクライアント端末４のＭＡＣアドレスを取得すると共に、次回アクセス時のアクセスキーを生成し、これらをサーバ２の認証マスタへ登録させる。なお、この端末認証処理は、クライアント端末４毎にする必要があるが、一度登録し、クライアント端末４を継続して使用する場合には、毎回の使用時に設定する必要はない。
【００３３】
（ログイン処理）
端末認証処理が正常に完了すると、ログイン処理を行うための画面が起動され、ユーザはその画面においてログイン処理を行うことができるようになる。図４は、クライアント端末４で表示されるログイン画面３００の一例である。図４に示す画面３００は、ログイン画面３０１とお知らせ欄３０６を有する画面である。この画面３００は、クライアント端末４のデスクトップ上に生成された本システム専用のアイコン（不図示）をダブルクリックなどで起動させると、Ｗｅｂブラウザ２１が自動的に起動されて表示される。ここで、この画面３００では、図３で説明した端末認証処理が正常に完了していると、端末番号３０４が画面上に表示される。なお、仮に端末認証が正常に完了しない場合には、エラーメッセージが表示され、ログインすることができない。ユーザは、ログイン画面欄３０１内のＩＤ入力欄３０２とパスワード入力欄３０３に、事前に連絡されたＩＤとパスワードを入力してログインボタン３０５をクリックする。これにより、端末認証の際に生成されたアクセスキーとＩＤとパスワードがサーバ２へと送信され、サーバ２側の認証マスタに登録されている情報と比較することによってログイン認証が行われ、正常に認証された場合には業務画面（図１）が表示される。
【００３４】
（検索画面の説明）
続いて、検索画面について説明する。図５は、図１に示す画面１００の検索に関する領域の一部を拡大して表示した図である。図５に示すように、荷物タブ１０１Ａ、車両タブ１０２Ａ、倉庫タブ１０３Ａが隣接して表示されている。そしてこれらのタブのいずれかが選択されていると、そのタブだけが実線で表示され、その他の２つのタブは点線で表示される。図５に示す例では、荷物タブ１０１Ａが実線で表示され、他のタブは点線で表示されているため、検索対象となる情報は荷物が選択されている状態である。
【００３５】
これらのタブの下には日本地図表示領域１０４Ａが表示され、すべての都道府県が実際の地図のような形で表示されている。また、日本地図表示領域１０４Ａの各都道府県には文字が表示され、この文字をユーザがクリックをする毎に文字の色が順次変化するように構成されている。この文字の色の変化の意味については、説明領域１０５にて説明されている。すなわち、最初は全ての文字が黒い文字となっており、検索条件としては「未設定」の状態とされている。この「未設定」の初期状態から１回ユーザがクリックをすると、その地域の検索条件は「積込地」として設定されると共に、その地域を示す文字は黒色から赤色へと変化する。そして、この「積込地」の状態からさらにもう１回同じ地域の文字をユーザがクリックすると、「積込地」から「卸地」に変更されて設定されると共に、その地域の文字の色が赤色から青色に変化する。さらに、この「卸地」の状態からもう１回同じ地域をユーザがクリックすると、「卸地」から「積卸地」に変更されて設定されると共に、その地域の文字の色が青色から紫色に変化する。さらに、この「積卸地」の状態からもう１回同じ地域をクリックすると、「積卸地」から「未設定」に変更されて設定されると共に、その地域の文字の色が紫色から黒色に変化する。このように、クリック操作をユーザが繰り返すだけで、当該地域の検索条件を連続的に変更することができるようになっている。
【００３６】
なお、地域の文字は都道府県毎だけでなく、関東、関西などの文字を選択することでも、該当する地域すべての検索条件を指定することができる。たとえば、図５に示す例では、関東及び関西という文字をそれぞれ１回クリックすると、関東地方に含まれる領域１２１Ａ（東京、神奈川、埼玉、茨城、栃木、群馬）と関西に含まれる領域１２２Ａ（大阪、奈良、京都、兵庫、和歌山、滋賀）が黒色から赤色に変更されると共に、これらの地域の検索指定条件として「積込地」が設定される。なお、この図５に示す例では、更に、宮城県を示す領域１２３Ａが２回クリックされて青色となっており、「卸地」として設定されている。この状態で地図から探すボタン１０６Ａがクリックされると、次の図６で説明する画面４００が検索結果として表示される。
【００３７】
図６は、図５の検索条件で検索した際に表示される検索結果画面の一例を示す図である。図６の画面では、図５で設定された検索条件と一致する情報が一覧として表示される。検索条件と一致した荷物情報には、積込日時、積込地、積込地における２次,３次積込地有無、卸日時、卸地、卸地における２次,３次積込地有無、運賃、支払額、トン車、荷重量、扱い、形状、荷姿・品目、荷主組合員名などの詳細情報と共に表示される。ユーザは検索条件と一致したこれらの案件一覧の中からより具体的な荷物の情報を更に確認することができる。
【００３８】
図７は、図１に示す画面１００の検索に関する領域の一部を拡大して表示した図であって、図５とは異なるクライアント端末４で表示される検索画面の一例を示す図である。図７に示す例では、倉庫タブ１０３Ｂが実線となっているため、検索対象情報としては倉庫情報が指定されている。倉庫タブ１０３Ｂが選択されている状態の場合、説明領域１０５Ｂは、図５の説明領域１０５Ａとは異なり、施設所在地の有無の指定と、未設定の２択となる。そして、この図７に示す画面の状態では、東京を示す領域１２１Ｂと大阪を示す領域１２２Ｂがそれぞれ１回ユーザによりクリックされており、赤色となっている状態である。この状態で地図から探すボタン１０６Ｂがユーザによりクリックされると、次の図８で説明する画面４００が検索結果として表示される。
【００３９】
図８は、図７の検索条件で検索した際に表示される検索結果画面の一例を示す図である。図８の画面では、図７で設定された検索条件と一致する情報が一覧として表示される。検索条件と一致した倉庫情報には、施設所在地、倉庫の種類（常温、平床）、施設、倉庫面積、空スペース、希望単価、組合員名、備考、更新日などの倉庫の詳細情報と共に表示される。ユーザは検索条件と一致したこれらの案件一覧の中からより具体的な倉庫の情報を更に確認することができる。
【００４０】
（クライアント端末４側の検索処理の説明）
続いて、クライアント端末４側での検索処理について説明する。図９は、図２に示すクライアント端末４側で表示される画面での操作に基づいてクライアント端末４側で実行される検索処理を示すフローチャートである。なお、この図９の処理の前提として、図３の端末認証および図４のログイン処理は正常に実行して完了したものとして説明する。
【００４１】
ステップＳ１：クライアント端末４の業務画面制御部２３は、検索画面を表示する。
【００４２】
ステップＳ２：業務画面制御部２３は、検索の対象情報の変更有無を検出する。具体的には、業務画面制御部２３は、図５、図７で示した荷物タブ１０１Ａ，１０１Ｂ、車両タブ１０２Ａ，１０２Ｂ、倉庫タブ１０３Ａ，１０３Ｂのいずれが選択されたかを検出する。対象情報の変更がない場合にはステップＳ３の処理へと移行し、変更がある場合には、ステップＳ４の処理へと移行する。
【００４３】
ステップＳ３：業務画面制御部２３は、指定条件の変更有無を検出する。具体的には、業務画面制御部２３は、図５、図７で示した日本地図領域表示領域内１０４Ａ，１０４Ｂ内の各領域の文字がクリックされたか否かにより指定条件の変更を検出する。指定条件の変更がない場合にはステップＳ５の処理へと移行し、変更がある場合には、ステップＳ６の処理へと移行する。
【００４４】
ステップＳ４：業務画面制御部２３は、検索の対象情報を変更する。具体的には、業務画面制御部２３は、変更前とは異なる検索の対象情報（荷物、車両、倉庫のいずれか）に変更する。
【００４５】
ステップＳ５：業務画面制御部２３は、検索条件の確定有無を検出する。具体的には、業務画面制御部２３は、図５および図７に示す地図から探すボタン１０６Ａ，１０６Ｂがクリックされたか否かにより検索条件の確定有無を検出する。検索条件の確定がない場合、あるは検索条件に不備がある場合にはステップＳ２の処理へと戻り、確定された場合には、ステップＳ７の処理へと移行する。なお、検索条件に不備がある場合とは、たとえば、どの領域も未設定の場合などであり、この場合には、ステップＳ２の処理に戻ると共に、検索エラーのメッセージなどを表示させて、ユーザに検索条件の指定を促すようにしてもよい。
【００４６】
ステップＳ６：業務画面制御部２３は、対象地域の文字色を変更する。具体的には、クリック回数に応じて黒、赤、青、紫の順番に変更する。なお、この変更する色についてはあくまでも一例であり、当然その他の色でもよいし、順番も上記の順番以外であっても当然よい。
【００４７】
ステップＳ７：業務画面制御部２３は、ステップＳ５で検索条件が確定すると、その検索条件に基づいてサーバ２へ検索要求を送信する。
【００４８】
ステップＳ８：業務画面制御部２３は、サーバ２から検索結果の受信有無を検出する。
【００４９】
ステップＳ９：業務画面制御部２３は、サーバ２から送信されてきたデータに基づいて検索結果一覧を表示する。
【００５０】
ステップＳ１０：業務画面制御部２３は、検索画面へ戻るためのボタン操作の有無を検出する。検出された場合にはステップＳ１の処理へ戻り、検出されない場合にはステップＳ９の処理へ戻り、検索結果一覧を表示し続ける。
【００５１】
（サーバ２側の検索処理の説明）
続いて、図７で説明したクライアント端末４で検索処理がなされると、サーバ２では、クライアント端末４から送信されてきた検索要求に応じて検索処理が実行される。図１０は、図２に示すサーバ２で実行される検索処理を示すフローチャートである。
【００５２】
ステップＳ１１：認証部１２は、認証成功したか否かを判定する。成功した場合はステップＳ１２へ移行する。失敗した場合には、エラーメッセージを送信して、再度認証処理を実行するようにクライアント端末４へと通知する。なお、この認証処理は、最初の端末認証時にアクセスキーを生成していたものに基づいて、クライアント端末４のＷｅｂブラウザ２１との間で検索条件の受付毎に行うものである。
【００５３】
ステップＳ１２：制御部１３は、ステップＳ１１で認証処理が成功すると、最初の検索画面情報を送信する。具体的には、制御部１３は、図１に示すような画面１００を構成する画像ファイル１６とＨＴＭＬファイル１７を含む情報をクライアント端末４へ送信する。
【００５４】
ステップＳ１３：制御部１３は、クライアント端末４から検索条件を受け付けた否かを判定する。ここでいう検索条件とは、図９で説明したステップＳ７の検索要求のことである。制御部１３は、検索条件を受け付けた場合には、ステップＳ１４へと移行する。なお、制御部１３は、検索条件を受け付けるまでこの処理状態を維持するが、セッション管理等により所定時間、クライアント端末４より応答がない場合には、この処理自体が破棄するようにしてもよい。
【００５５】
ステップＳ１４：制御部１３は、ＲＤＢＭＳ１４との間で検索要求を行うために、たとえばＳＱＬ文などを生成してＤＢ１５に記録されている所望の情報の検索を行う。
【００５６】
ステップＳ１５：制御部１３は、ステップＳ１４の検索によって、ＲＤＢＭＳ１４から検索結果を取得すると、その検索結果を表示するための検索結果画面を生成する。
【００５７】
ステップＳ１６：制御部１３は、クライアント端末４へステップＳ１５にて生成した検索結果画面情報を送信して、処理を終了する。
【００５８】
（効果）
以上で説明したように、本実施例のクライアント端末４は、サーバ２で検索可能な日本全国の地域において、ユーザが荷物タブ１０１、車両タブ１０２、倉庫タブ１０３のいずれかを選択することで荷物、車両、倉庫のいずれかの検索対象情報を特定し（第１の検索条件特定部）、検索可能な地域内の各領域において、未選択、積込地、卸地、積卸地のいずれかの状態をユーザの操作に基づいて特定し（第２の検索条件特定部）、特定された求車、求荷、倉庫のいずれかに関する情報と、未選択、積込地、卸地、積卸地のいずれかの状態の情報とに基づいて検索要求を確定し（検索条件確定部）、その確定された検索要求をサーバ２へと送信し（検索要求送信部）、サーバ２からの応答として受信した検索結果情報を表示させる（業務画面制御部）ように構成している。これにより、ユーザは検索対象となる情報については、荷物タブ１０１、車両タブ１０２、倉庫タブ１０３のタブを切り替える操作のみで瞬時に検索対象を変更することができ、検索したい地域の指定については、表示されている日本地図表示領域１０４Ａ，１０４Ｂ内からクリックして指定すると共に、検索条件の指定についてはそのクリック回数に応じて変化させることで瞬時に指定できるようにしたので、所望の求車求荷情報を直観的かつ非常に容易に検索することができる。
【００５９】
また、クライアント端末４に表示される画面は、荷物タブ１０１，１０１Ａ，１０１Ｂ、車両タブ１０２、１０２Ａ，１０２Ｂ、倉庫タブ１０３，１０３Ａ，１０３Ｂ（第１の検索条件特定部）と日本各地の領域１０４，１０４Ａ,１０４Ｂ（第２の検索条件特定部）と地図から探すボタン１０６，１０６Ａ，１０６Ｂ（検索条件確定部）とは、同時に表示されるウィンドウ内に配置されているので、毎回、これらの設定の変更するために画面を切り替えてから検索したり、最初から検索対象情報を切り替えたり、検索指定条件を設定しなおして何度も検索処理を行ったりする必要がない。特に本実施形態では、複数の積込地、卸地、積卸地などを同時に検索条件として設定することができるので、1つの検索処理で複数のルートを網羅した検索処理を実行させることができるようになっている。
【００６０】
また、クライアント端末４は、荷物タブ１０１，１０１Ａ，１０１Ｂ、車両タブ１０２、１０２Ａ，１０２Ｂ、倉庫タブ１０３，１０３Ａ，１０３Ｂ（第１の検索条件特定部）それぞれが同一の画面上に隣接して配置されており、それぞれのタブがユーザのクリック操作によって選択されると、検索対象情報を荷物、車輌、倉庫と簡単に特定することができる。これにより、ユーザが画面上に遷移するマウスのカーソル（不図示）を横に少しずらしてクリックするのみで検索対象情報を即時に変更することができるようになる。
【００６１】
また、クライアント端末４の業務画面制御部２３は、ユーザのクリック操作により所定の地域を示す領域または所定の地域を示す文字の色を選択された状態に応じて変化させるようにしている。これにより、ユーザはどの地域がどの検索条件で指定されているのか、または変更されたのかを視覚的にも容易に把握することができるようになる。
【００６２】
また、上述したクライアント端末４の動作（求車求荷情報表示方法）、クライアント端末４にインストールされているプログラム（求車求荷情報表示プログラム）についても、同様の効果を奏することができる。
【００６３】
また、上述したサーバ２では、クライアント端末４からログイン要求を受け付けて認証し、認証されたクライアント端末４のＷｅｂブラウザ２１に表示させるための画面を構成する情報を送信し（図１０のステップＳ１２）、その送信された検索画面情報に基づいてクライアント端末４側で表示される画面から、ユーザの操作により受け付けられた荷物、車両、倉庫のいずれかの検索対象情報の指定、積込地、卸地、積卸地の指定がなされた地域情報を受け付け（図１０のステップＳ１３でＹＥＳ）、その受け付けた検索対象情報と検索対象地域の指定条件に従って、これらの条件を満たす求車求荷情報を検索し（図１０のステップＳ１４）、その検索された求車求荷情報をクライアント端末４へ送信するようにしている（図１０のステップＳ１６）。これにより、インターネット３などのセキュアではない環境を経由した場合であっても、相手を確実に認証してからやりとりをすることになるため、従来の専用線などでの予め固定されていた端末とやり取りしていた場合と同等のセキュリティレベルを維持させつつ、ユーザが自由に設置したクライアント端末４にて本システムを利用することができる。
【００６４】
また、この求車求荷情報提供システム１は、上述したサーバ２とクライアント端末４とを有しているので、ユーザに対してセキュアで使い勝手のよい求車求荷情報とその検索方法を提供することができる。
【００６５】
本発明は、たとえば、システム、装置、方法、プログラムもしくは記憶媒体等としての実施態様をとることが可能であり、具体的には、複数の機器から構成されるシステムに適用してもよく、また、一つの機器からなる装置に適用してもよい。
【００６６】
本発明は、上述した実施の形態の機能を実現するソフトウェアのプログラム（図９，図１０のフローチャート）をコンピュータ又はＣＰＵに供給し、そのコンピュータ又はＣＰＵが該供給されたプログラムを読出して実行することによって、達成することができる。
【００６７】
この場合、上記プログラムは、該プログラムを記憶した記憶媒体から直接供給されるか、又はインターネット、商用ネットワーク、若しくはローカルエリアネットワーク等に接続される不図示の他のコンピュータやデータベース等からダウンロードすることにより供給される。
【００６８】
上記プログラムの形態は、オブジェクトコード、インタプリタにより実行されるプログラムコード、ＯＳ（オペレーティングシステム）に供給されるスクリプトデータ等の形態から成ってもよい。
【００６９】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００７０】
この場合、格納媒体から読出されたプログラムコード自体が上述した各実施の形態の機能を実現すると共に、そのプログラムコードを記憶した記憶媒体は本発明を構成する。プログラムコードを記憶する記憶媒体としては、たとえば、ＲＯＭ、ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ+ＲＷ、磁気テープ、不揮発性のメモリカード等がある。
【００７１】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００７２】
更に、本発明は、前述した実施の形態を実現するソフトウェアのプログラムがインターネット３上のデータベース又はホームページから通信プログラムによりダウンロードされ、このプログラムを読出して実行することによって達成することができる。
【００７３】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００７４】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００７５】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【００７６】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【符号の説明】
【００７７】
１：求車求荷情報提供システム、２：サーバ、３：インターネット、４, ４Ａ,４Ｂ，４ｎ：クライアント端末、１１：ＷＷＷサービス提供部、１２：認証部、１３：制御部、１６：画像ファイル、１７：ＨＴＭＬファイル、２１：Ｗｅｂブラウザ、２２：クライアントアプリ認証部、２３：業務画面制御部、１００,２００，３００,４００,５００：画面、１０１,１０１Ａ,１０１Ｂ：荷物タブ、１０２,１０２Ａ,１０２Ｂ：車両タブ、１０３,１０３Ａ,１０３Ｂ：倉庫タブ、１０４,１０４Ａ,１０４Ｂ：日本地図表示領域、１０５,１０５Ａ,１０５Ｂ：説明領域、１０６，１０６Ａ，１０６Ｂ：地図から探すボタン
【図１】
2018005856.tif 000003
【図２】
2018005856.tif 000004
【図３】
2018005856.tif 000005
【図４】
2018005856.tif 000006
【図５】
2018005856.tif 000007
【図６】
2018005856.tif 000008
【図７】
2018005856.tif 000009
【図８】
2018005856.tif 000010
【図９】
2018005856.tif 000011
【図１０】
2018005856.tif 000012
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ネットワークを介して求車求荷情報提供サーバと通信可能な求車求荷情報表示装置であって、
前記求車求荷情報提供サーバで検索可能な所定の全地域において、検索対象情報をユーザの操作に基づいて特定する第１の検索条件特定部と、
前記求車求荷情報提供サーバで検索可能な所定の全地域内の各領域において、前記検索対象情報の検索条件をユーザの操作に基づいて特定する第２の検索条件特定部と、
前記第１の検索条件特定部にて特定されている前記検索対象情報と、所定の全地域内の各領域の前記第２の検索条件特定部にて特定されている前記検索対象情報の検索条件とに基づいて検索要求を確定する検索条件確定部と、
前記検索条件確定部により確定された検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部と、を有し、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を循環的に変化させる
ことを特徴とする求車求荷情報表示装置。
【請求項２】
請求項１に記載の求車求荷情報表示装置であって、
前記第１の検索条件特定部と前記第２の検索条件特定部と前記検索条件確定部とが同時に表示されるウィンドウ内には、前記検索対象情報の検索条件と、前記検索条件の遷移を示す情報と、各々の検索条件が示す色との対応を示す説明領域が設けられている
ことを特徴とする求車求荷情報表示装置。
【請求項３】
請求項２に記載の求車求荷情報表示装置であって、
前記説明領域内にて説明される前記検索対象情報の検索条件と、前記検索条件を選択した際の色との対応は、前記第１の検索条件特定部により特定された検索対象情報に応じて変化する
ことを特徴とする求車求荷情報表示装置。
【請求項４】
第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、
前記第１の検索条件特定部が、前記求車求荷情報提供サーバで検索可能な所定の全地域において、検索対象情報をユーザの操作に基づいて特定する第１の検索条件特定ステップと、
前記第２の検索条件特定部が、前記求車求荷情報提供サーバで検索可能な所定の全地域内の各領域において、前記検索対象情報の検索条件をユーザの操作に基づいて特定する第２の検索条件特定ステップと、
前記検索条件確定部が、前記第１の検索条件特定部にて特定されている前記検索対象情報と、所定の全地域内の各領域の前記第２の検索条件特定部にて特定されている前記検索対象情報の検索条件とに基づいて検索要求を確定する検索条件確定ステップと、
前記検索要求送信部が、前記検索条件確定ステップにて確定された検索要求を前記求車求荷情報提供サーバへと送信する検索要求送信ステップと、
前記業務画面制御部が、前記検索要求送信ステップにて検索要求が前記求車求荷情報提供サーバへと送信され、前記求車求荷情報提供サーバからの応答として受信した検索結果情報を表示させる表示制御ステップとを有し、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を循環的に変化させることを特徴とする求車求荷情報表示方法。
【請求項５】
ネットワークを介して求車求荷情報提供サーバと通信可能な求車求荷情報表示装置としてコンピュータを機能させるためのプログラムであって、
前記コンピュータを、
前記求車求荷情報提供サーバで検索可能な所定の全地域において、検索対象情報をユーザの操作に基づいて特定する第１の検索条件特定部と、
前記求車求荷情報提供サーバで検索可能な所定の全地域内の各領域において、前記検索対象情報の検索条件をユーザの操作に基づいて特定する第２の検索条件特定部と、
前記第１の検索条件特定部にて特定されている前記検索対象情報と、所定の全地域内の各領域の前記第２の検索条件特定部にて特定されている前記検索対象情報の検索条件とに基づいて検索要求を確定させる検索条件確定部と、
前記検索条件確定部により確定された前記検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部として機能させ、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を循環的に変化させる
ことを特徴とするプログラム。
【請求項６】
請求項１〜請求項３のいずれか１項に記載の求車求荷情報表示装置と通信可能な求車求荷情報提供サーバであって、
前記求車求荷情報表示装置からのログイン要求を受け付けて求車求荷情報表示装置および求車求荷情報表示装置を利用するユーザを認証する認証部と、
前記認証部にて認証された前記求車求荷情報表示装置のブラウザに表示させるための画面を構成する情報を送信する検索画面情報送信部と、
前記検索画面情報送信部により送信された検索画面情報に基づいて前記求車求荷情報表示装置側で表示される画面から、前記ユーザの操作により受け付けられた検索対象情報の検索要求を受け付ける検索条件受付部と、
前記検索条件受付部で受け付けた検索対象情報と検索対象地域の指定条件に従って、これらの条件を満たす求車求荷情報を検索する情報検索部と、
前記情報検索部により検索された前記求車求荷情報を前記求車求荷情報表示装置へ送信する検索情報送信部と、
を有することを特徴とする求車求荷情報提供サーバ。
【請求項７】
請求項１〜３のいずれか１項に記載の求車求荷情報表示装置と、
請求項６に記載の求車求荷情報提供サーバと、
を有することを特徴とする求車求荷情報提供システム。
【手続補正２】
【補正対象書類名】明細書
【補正対象項目名】０００８
【補正方法】変更
【補正の内容】
【０００８】
上述の目的を達成するために、本発明の求車求荷情報表示装置は、ネットワークを介して求車求荷情報提供サーバと通信可能な求車求荷情報表示装置であって、求車求荷情報提供サーバで検索可能な所定の全地域において、検索対象情報をユーザの操作に基づいて特定する第１の検索条件特定部と、求車求荷情報提供サーバで検索可能な所定の全地域内の各領域において、検索対象情報の検索条件をユーザの操作に基づいて特定する第２の検索条件特定部と、第１の検索条件特定部にて特定されている検索対象情報と、所定の全地域内の各領域の第２の検索条件特定部にて特定されている検索対象情報の検索条件とに基づいて検索要求を確定する検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部と、を有し、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を循環的に変化させることを特徴とする。
【手続補正３】
【補正対象書類名】明細書
【補正対象項目名】０００９
【補正方法】変更
【補正の内容】
【０００９】
また、第１の検索条件特定部と第２の検索条件特定部と検索条件確定部とが同時に表示されるウィンドウ内には、検索対象情報の検索条件と、検索条件の遷移を示す情報と、各々の検索条件が示す色との対応を示す説明領域が設けられていることが好ましい。
【手続補正４】
【補正対象書類名】明細書
【補正対象項目名】００１０
【補正方法】変更
【補正の内容】
【００１０】
また、説明領域内にて説明される検索対象情報の検索条件と、検索条件を選択した際の色との対応は、第１の検索条件特定部により特定された検索対象情報に応じて変化することが好ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明の求車求荷情報表示方法は、第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、第１の検索条件特定部が、求車求荷情報提供サーバで検索可能な所定の全地域において、検索対象情報をユーザの操作に基づいて特定する第１の検索条件特定ステップと、第２の検索条件特定部が、求車求荷情報提供サーバで検索可能な所定の全地域内の各領域において、検索対象情報の検索条件をユーザの操作に基づいて特定する第２の検索条件特定ステップと、検索条件確定部が、第１の検索条件特定部にて特定されている検索対象情報と、所定の全地域内の各領域の第２の検索条件特定部にて特定されている検索対象情報の検索条件とに基づいて検索要求を確定する検索条件確定ステップと、検索要求送信部が、検索条件確定ステップにて確定された検索要求を求車求荷情報提供サーバへと送信する検索要求送信ステップと、業務画面制御部が、検索要求送信ステップにて検索要求が求車求荷情報提供サーバへと送信され、求車求荷情報提供サーバからの応答として受信した検索結果情報を表示させる表示制御ステップとを有し、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を循環的に変化させることを特徴とする。
【手続補正７】
【補正対象書類名】明細書
【補正対象項目名】００１３
【補正方法】変更
【補正の内容】
【００１３】
また、本発明のプログラムは、ネットワークを介して求車求荷情報提供サーバと通信可能な求車求荷情報表示装置としてコンピュータを機能させるためのプログラムであって、コンピュータを、求車求荷情報提供サーバで検索可能な所定の全地域において、検索対象情報をユーザの操作に基づいて特定する第１の検索条件特定部と、求車求荷情報提供サーバで検索可能な所定の全地域内の各領域において、検索対象情報の検索条件をユーザの操作に基づいて特定する第２の検索条件特定部と、第１の検索条件特定部にて特定されている検索対象情報と、所定の全地域内の各領域の第２の検索条件特定部にて特定されている検索対象情報の検索条件とに基づいて検索要求を確定させる検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部として機能させ、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を循環的に変化させることを特徴とする。
【手続補正８】
【補正対象書類名】明細書
【補正対象項目名】００１４
【補正方法】変更
【補正の内容】
【００１４】
また、本発明の求車求荷情報提供サーバは、上述したいずれかの求車求荷情報表示装置と通信可能な求車求荷情報提供サーバであって、求車求荷情報表示装置からのログイン要求を受け付けて求車求荷情報表示装置および求車求荷情報表示装置を利用するユーザを認証する認証部と、認証部にて認証された求車求荷情報表示装置のブラウザに表示させるための画面を構成する情報を送信する検索画面情報送信部と、検索画面情報送信部により送信された検索画面情報に基づいて求車求荷情報表示装置側で表示される画面から、ユーザの操作により受け付けられた検索対象情報の検索要求を受け付ける検索条件受付部と、検索条件受付部で受け付けた検索対象情報と検索対象地域の指定条件に従って、これらの条件を満たす求車求荷情報を検索する情報検索部と、情報検索部により検索された求車求荷情報を求車求荷情報表示装置へ送信する検索情報送信部と、することを特徴とする。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
ネットワークを介して求車求荷情報提供サーバと通信可能な求車求荷情報表示装置であって、
前記求車求荷情報提供サーバで検索可能な所定の全地域において、検索対象情報をユーザの操作に基づいて特定する第１の検索条件特定部と、
前記求車求荷情報提供サーバで検索可能な所定の全地域内の各領域において、前記検索対象情報の検索条件をユーザの操作に基づいて特定する第２の検索条件特定部と、
前記第１の検索条件特定部にて特定されている前記検索対象情報と、所定の全地域内の各領域の前記第２の検索条件特定部にて特定されている前記検索対象情報の検索条件とに基づいて検索要求を確定する検索条件確定部と、
前記検索条件確定部により確定された検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部と、を有し、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記第２の検索条件特定部により特定される前記検索条件は、ユーザのクリック回数に応じて３以上の選択可能な検索条件から特定されるものであり、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を、一定の方向性を有する選択順番で循環的に変化させる
ことを特徴とする求車求荷情報表示装置。
【請求項２】
請求項１に記載の求車求荷情報表示装置であって、
前記第１の検索条件特定部と前記第２の検索条件特定部と前記検索条件確定部とが同時に表示されるウィンドウ内には、前記検索対象情報の検索条件と、前記検索条件の遷移を示す情報と、各々の検索条件が示す色との対応を示す説明領域が設けられている
ことを特徴とする求車求荷情報表示装置。
【請求項３】
請求項２に記載の求車求荷情報表示装置であって、
前記説明領域内にて説明される前記検索対象情報の検索条件と、前記検索条件を選択した際の色との対応は、前記第１の検索条件特定部により特定された検索対象情報に応じて変化する
ことを特徴とする求車求荷情報表示装置。
【請求項４】
第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、
前記第１の検索条件特定部が、前記求車求荷情報提供サーバで検索可能な所定の全地域において、検索対象情報をユーザの操作に基づいて特定する第１の検索条件特定ステップと、
前記第２の検索条件特定部が、前記求車求荷情報提供サーバで検索可能な所定の全地域内の各領域において、前記検索対象情報の検索条件をユーザの操作に基づいて特定する第２の検索条件特定ステップと、
前記検索条件確定部が、前記第１の検索条件特定部にて特定されている前記検索対象情報と、所定の全地域内の各領域の前記第２の検索条件特定部にて特定されている前記検索対象情報の検索条件とに基づいて検索要求を確定する検索条件確定ステップと、
前記検索要求送信部が、前記検索条件確定ステップにて確定された検索要求を前記求車求荷情報提供サーバへと送信する検索要求送信ステップと、
前記業務画面制御部が、前記検索要求送信ステップにて検索要求が前記求車求荷情報提供サーバへと送信され、前記求車求荷情報提供サーバからの応答として受信した検索結果情報を表示させる表示制御ステップとを有し、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記第２の検索条件特定部により特定される前記検索条件は、ユーザのクリック回数に応じて３以上の選択可能な検索条件から特定されるものであり、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を、一定の方向性を有する選択順番で循環的に変化させることを特徴とする求車求荷情報表示方法。
【請求項５】
ネットワークを介して求車求荷情報提供サーバと通信可能な求車求荷情報表示装置としてコンピュータを機能させるためのプログラムであって、
前記コンピュータを、
前記求車求荷情報提供サーバで検索可能な所定の全地域において、検索対象情報をユーザの操作に基づいて特定する第１の検索条件特定部と、
前記求車求荷情報提供サーバで検索可能な所定の全地域内の各領域において、前記検索対象情報の検索条件をユーザの操作に基づいて特定する第２の検索条件特定部と、
前記第１の検索条件特定部にて特定されている前記検索対象情報と、所定の全地域内の各領域の前記第２の検索条件特定部にて特定されている前記検索対象情報の検索条件とに基づいて検索要求を確定させる検索条件確定部と、
前記検索条件確定部により確定された前記検索要求を前記求車求荷情報提供サーバへと送信する検索要求送信部と、
前記検索要求送信部により前記検索要求が前記求車求荷情報提供サーバへと送信され、前記求車求荷情報提供サーバからの応答として受信した検索結果情報を表示させる業務画面制御部として機能させ、
前記第１の検索条件特定部と前記第２の検索条件特定部と前記検索条件確定部とは、同時に表示されるウィンドウ内に配置されており、
前記第１の検索条件特定部が検索対象情報を特定するためのタブとして荷物タブ、車両タブ、倉庫タブが同一の画面上に隣接して構成されており、
前記第２の検索条件特定部により特定される前記検索条件は、ユーザのクリック回数に応じて３以上の選択可能な検索条件から特定されるものであり、
前記業務画面制御部は、
前記荷物タブ、前記車両タブ、前記倉庫タブのいずれかがユーザのクリック操作によって選択されると、その選択されたタブに対応する情報を前記検索対象情報として特定すると共に、前記第２の検索条件特定部により示される所定の地域またはその地域を示す箇所がユーザによりクリックされると、そのクリックされた地域または箇所における前記検索対象情報の検索条件と前記検索条件に対応した色を、一定の方向性を有する選択順番で循環的に変化させる
ことを特徴とするプログラム。
【請求項６】
請求項１〜請求項３のいずれか１項に記載の求車求荷情報表示装置と通信可能な求車求荷情報提供サーバであって、
前記求車求荷情報表示装置からのログイン要求を受け付けて求車求荷情報表示装置および求車求荷情報表示装置を利用するユーザを認証する認証部と、
前記認証部にて認証された前記求車求荷情報表示装置のブラウザに表示させるための画面を構成する情報を送信する検索画面情報送信部と、
前記検索画面情報送信部により送信された検索画面情報に基づいて前記求車求荷情報表示装置側で表示される画面から、前記ユーザの操作により受け付けられた検索対象情報の検索要求を受け付ける検索条件受付部と、
前記検索条件受付部で受け付けた検索対象情報と検索対象地域の指定条件に従って、これらの条件を満たす求車求荷情報を検索する情報検索部と、
前記情報検索部により検索された前記求車求荷情報を前記求車求荷情報表示装置へ送信する検索情報送信部と、
を有することを特徴とする求車求荷情報提供サーバ。
【請求項７】
請求項１〜３のいずれか１項に記載の求車求荷情報表示装置と、
請求項６に記載の求車求荷情報提供サーバと、
を有することを特徴とする求車求荷情報提供システム。
【手続補正２】
【補正対象書類名】明細書
【補正対象項目名】０００８
【補正方法】変更
【補正の内容】
【０００８】
上述の目的を達成するために、本発明の求車求荷情報表示装置は、ネットワークを介して求車求荷情報提供サーバと通信可能な求車求荷情報表示装置であって、求車求荷情報提供サーバで検索可能な所定の全地域において、検索対象情報をユーザの操作に基づいて特定する第１の検索条件特定部と、求車求荷情報提供サーバで検索可能な所定の全地域内の各領域において、検索対象情報の検索条件をユーザの操作に基づいて特定する第２の検索条件特定部と、第１の検索条件特定部にて特定されている検索対象情報と、所定の全地域内の各領域の第２の検索条件特定部にて特定されている検索対象情報の検索条件とに基づいて検索要求を確定する検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部と、を有し、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、第２の検索条件特定部により特定される検索条件は、ユーザのクリック回数に応じて３以上の選択可能な検索条件から特定されるものであり、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を、一定の方向性を有する選択順番で循環的に変化させることを特徴とする。
【手続補正３】
【補正対象書類名】明細書
【補正対象項目名】００１２
【補正方法】変更
【補正の内容】
【００１２】
また、本発明の求車求荷情報表示方法は、第１の検索条件特定部と、第２の検索条件特定部と、検索条件確定部と、検索要求送信部と、業務画面制御部を有すると共に、ネットワークを介して求車求荷情報提供サーバと通信可能な求車求荷情報表示装置が実行する求車求荷情報表示方法であって、第１の検索条件特定部が、求車求荷情報提供サーバで検索可能な所定の全地域において、検索対象情報をユーザの操作に基づいて特定する第１の検索条件特定ステップと、第２の検索条件特定部が、求車求荷情報提供サーバで検索可能な所定の全地域内の各領域において、検索対象情報の検索条件をユーザの操作に基づいて特定する第２の検索条件特定ステップと、検索条件確定部が、第１の検索条件特定部にて特定されている検索対象情報と、所定の全地域内の各領域の第２の検索条件特定部にて特定されている検索対象情報の検索条件とに基づいて検索要求を確定する検索条件確定ステップと、検索要求送信部が、検索条件確定ステップにて確定された検索要求を求車求荷情報提供サーバへと送信する検索要求送信ステップと、業務画面制御部が、検索要求送信ステップにて検索要求が求車求荷情報提供サーバへと送信され、求車求荷情報提供サーバからの応答として受信した検索結果情報を表示させる表示制御ステップとを有し、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、第２の検索条件特定部により特定される検索条件は、ユーザのクリック回数に応じて３以上の選択可能な検索条件から特定されるものであり、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を、一定の方向性を有する選択順番で循環的に変化させることを特徴とする。
【手続補正４】
【補正対象書類名】明細書
【補正対象項目名】００１３
【補正方法】変更
【補正の内容】
【００１３】
また、本発明のプログラムは、ネットワークを介して求車求荷情報提供サーバと通信可能な求車求荷情報表示装置としてコンピュータを機能させるためのプログラムであって、コンピュータを、求車求荷情報提供サーバで検索可能な所定の全地域において、検索対象情報をユーザの操作に基づいて特定する第１の検索条件特定部と、求車求荷情報提供サーバで検索可能な所定の全地域内の各領域において、検索対象情報の検索条件をユーザの操作に基づいて特定する第２の検索条件特定部と、第１の検索条件特定部にて特定されている検索対象情報と、所定の全地域内の各領域の第２の検索条件特定部にて特定されている検索対象情報の検索条件とに基づいて検索要求を確定させる検索条件確定部と、検索条件確定部により確定された検索要求を求車求荷情報提供サーバへと送信する検索要求送信部と、検索要求送信部により検索要求が求車求荷情報提供サーバへと送信され、求車求荷情報提供サーバからの応答として受信した検索結果情報を表示させる業務画面制御部として機能させ、第１の検索条件特定部と第２の検索条件特定部と検索条件確定部とは、同時に表示されるウィンドウ内に配置されており、第１の検索条件特定部が検索対象情報を特定するためのタブとして荷物タブ、車両タブ、倉庫タブが同一の画面上に隣接して構成されており、第２の検索条件特定部により特定される検索条件は、ユーザのクリック回数に応じて３以上の選択可能な検索条件から特定されるものであり、業務画面制御部は、荷物タブ、車両タブ、倉庫タブのいずれかがユーザのクリック操作によって選択されると、その選択されたタブに対応する情報を検索対象情報として特定すると共に、第２の検索条件特定部により示される所定の地域またはその地域を示す箇所がユーザによりクリックされると、そのクリックされた地域または箇所における検索対象情報の検索条件と検索条件に対応した色を、一定の方向性を有する選択順番で循環的に変化させることを特徴とする。